(57)【要約】【課題】既設の電線に簡単に付して、植物が電線に接触しないようにすることができる害獣忌避用電線保護具を提供すること。【解決手段】害獣忌避用電線保護具１は、２枚の板体１０と、２枚の板体１０の間に平行に延伸される２以上の棒状体２０とを備え、板体１０は、中央部に設けられた円形の孔１１と、周縁から孔１１に連通する溝１２とを備え、孔１１は５ｍｍ〜１５ｍｍの径を有し、溝１２の幅は孔１１の径よりも小さく、棒状体２０は弾性を有し３ｍｍ〜１０ｍｍの径を有し、板体１０に対して孔１１の外側に配され、弾性は棒状体２０の長さ方向の中央箇所が２つの孔１１の中心を結ぶ直線に直交する方向から押されたときに、押す力が１００Ｎであれば孔１１の中心を結ぶ直線を超えて移動し、押す力が１０Ｎであれば孔１１の中心を結ぶ直線に到達しないものであり、近接する２本の前記棒状体の間隔は３ｍｍ〜１５ｍｍである。【選択図】図１
2020141627.tif 000002
【特許請求の範囲】
【請求項１】
２枚の板体と、
前記２枚の板体の間に平行に延伸される２以上の棒状体とを備え、
前記板体は、中央部に設けられた円形の孔と、周縁から前記孔に連通する溝とを備え、
前記孔は５ｍｍ〜１５ｍｍの径を有し、
前記溝の幅は前記孔の径よりも小さく、
前記棒状体は、弾性を有し、３ｍｍ〜１０ｍｍの径を有し、前記板体に対して前記孔の外側に配され、
前記弾性は、前記棒状体の長さ方向の中央箇所が２つの前記孔の中心を結ぶ直線に直交する方向から押されたときに、押す力が１００Ｎであれば前記孔の中心を結ぶ直線を超えて移動し、押す力が１０Ｎであれば前記孔の中心を結ぶ直線に到達しないものであり、
近接する２本の前記棒状体の間隔は３ｍｍ〜１５ｍｍであることを特徴とする、害獣忌避用電線保護具。
【請求項２】
前記溝が垂直方向となるように前記害獣忌避用電線保護具を配するとき、２つの前記孔の中心を結ぶ直線から該直線に直交する水平方向の左右両側の少なくとも１側に、間隔が３ｍｍ〜１５ｍｍである２本の前記棒状体が設けられていることを特徴とする、請求項１に記載の害獣忌避用電線保護具。
【請求項３】
２本の前記棒状体は、１本が前記孔の中心を結ぶ直線よりも上方に設けられ、他の１本が前記孔の中心を結ぶ直線よりも下方に設けられていることを特徴とする、請求項２に記載の害獣忌避用電線保護具。
【請求項４】
４本の前記棒状体を備え、
前記板体の面の法線方向から見るとき、４本の前記棒状体はその中心が正方形の４頂点にあり、
前記孔は、その円の中心位置が前記正方形の中心位置と略一致し、
前記溝は前記正方形の下辺と略直交することを特徴とする、請求項１〜３のいずれか１項に記載の害獣忌避用電線保護具。
【請求項５】
前記棒状体の長さは、１５ｃｍ〜６０ｃｍであることを特徴とする、請求項１〜４のいずれか１項に記載の害獣忌避用電線保護具。
【発明の詳細な説明】
【技術分野】
【０００１】
本発明は、害獣忌避のために農耕地等の周囲に張られる電線を保護する害獣忌避用電線保護具に関する。
【背景技術】
【０００２】
従来、農耕地や果樹園の周囲に、シカ、イノシシ、サル等の害獣に電気ショックを与える電線を張り巡らすことにより、農耕地等に害獣が侵入して作物等を食い荒らすのを防止することが行われている。しかしながら、地面に生える植物が電線に接触すると漏電が生じて電圧が低下してしまい、害獣に電気ショックを与えることができないという問題があった。植物が接触せず、かつ、害獣が接触するように電線を張るのは困難であるため、地面に生える植物が伸びて電線に接触しないよう「下草刈り」を頻繁に行う必要が生じていた。
【０００３】
この問題を解決するために、特許文献１には、電源装置のマイナス極に接続された電線を地面に近い側に設けることにより、植物が伸びて電線に接触したとしても漏電が生じることのない電気柵が開示されている。
【先行技術文献】
【特許文献】
【０００４】
【特許文献１】特開２０１０−０５１２７０号公報
【発明の概要】
【発明が解決しようとする課題】
【０００５】
しかしながら、特許文献１に記載の電気柵は構造が複雑であり、また、農耕地等の周囲に既に張られている電線をそのまま利用することができないため、当該電気柵を設置するには手間と費用がかかるという問題があった。
【０００６】
本発明は、既設の電線に簡単に付して、植物が電線に接触しないようにすることができる害獣忌避用電線保護具を提供することを課題とする。
【課題を解決するための手段】
【０００７】
本発明の害獣忌避用電線保護具は、
２枚の板体と、
前記２枚の板体の間に平行に延伸される２以上の棒状体とを備え、
前記板体は、中央部に設けられた円形の孔と、周縁から前記孔に連通する溝とを備え、
前記孔は５ｍｍ〜１５ｍｍの径を有し、
前記溝の幅は前記孔の径よりも小さく、
前記棒状体は、弾性を有し、３ｍｍ〜１０ｍｍの径を有し、前記板体に対して前記孔の外側に配され、
前記弾性は、前記棒状体の長さ方向の中央箇所が２つの前記孔の中心を結ぶ直線に直交する方向から押されたときに、押す力が１００Ｎであれば前記孔の中心を結ぶ直線を超えて移動し、押す力が１０Ｎであれば前記孔の中心を結ぶ直線に到達しないものであり、
近接する２本の前記棒状体の間隔は３ｍｍ〜１５ｍｍであることを特徴とする。
【０００８】
この特徴によれば、板体の溝を介して孔に既設の電線を通すことで、電線に害獣忌避用電線保護具を簡単に付することができる。また、棒状体が害獣の押す力によっては移動するが植物の押す力によっては移動しないように棒状体の弾性を調整し、植物は通過しないが害獣の鼻先が挿入可能となるように棒状体の間隔を調整することで、植物は電線に接触しないが害獣は電線に接触するように、害獣忌避用電線保護具を電線に付することができる。
【０００９】
本発明の害獣忌避用電線保護具は、
前記溝が垂直方向となるように前記害獣忌避用電線保護具を配するとき、２つの前記孔の中心を結ぶ直線から該直線に直交する水平方向の左右両側の少なくとも１側に、間隔が３ｍｍ〜１５ｍｍである２本の前記棒状体が設けられていることを特徴とする。
【００１０】
この特徴によれば、２本の棒状体を設ける１側を害獣が進入してくる側とすることで、当該害獣が進入してくる側、すなわち、管理が行き届かない側に繁殖する植物が電線に接触するのを防ぐことができる。
【００１１】
本発明の害獣忌避用電線保護具は、
２本の前記棒状体は、１本が前記孔の中心を結ぶ直線よりも上方に設けられ、他の１本が前記孔の中心を結ぶ直線よりも下方に設けられていることを特徴とする。
【００１２】
この特徴によれば、２本の棒状体の間を植物が通過せず、２本の棒状体の間に害獣の鼻先が挿入されると孔に通された電線に接触するように、害獣忌避用電線保護具を電線に付することができる。
【００１３】
本発明の害獣忌避用電線保護具は、
４本の前記棒状体を備え、
前記板体の面の法線方向から見るとき、４本の前記棒状体はその中心が正方形の４頂点にあり、
前記孔は、その円の中心位置が前記正方形の中心位置と略一致し、
前記溝は前記正方形の下辺と略直交することを特徴とする。
【００１４】
この特徴によれば、各棒状体の間を植物が通過せず、棒状体の間に害獣の鼻先が挿入されると孔に通された電線に接触するように、害獣忌避用電線保護具を電線に付することができる。
【００１５】
本発明の害獣忌避用電線保護具は、
前記棒状体の長さは、１５ｃｍ〜６０ｃｍであることを特徴とする。
【００１６】
この特徴によれば、害獣が電線に接触し易く、かつ、電線が棒状体の下方に垂下しないように、害獣忌避用電線保護具を電線に付することができる。
【発明の効果】
【００１７】
本発明によれば、板体の溝を介して孔に既設の電線を通すことで、電線に害獣忌避用電線保護具を簡単に付することができる。また、棒状体が害獣の押す力によっては移動するが植物の押す力によっては移動しないように棒状体の弾性を調整し、植物は通過しないが害獣の鼻先が挿入可能となるように棒状体の間隔を調整することで、植物は電線に接触しないが害獣は電線に接触するように、害獣忌避用電線保護具を電線に付することができる。
【図面の簡単な説明】
【００１８】
【図１】図１は、本発明の実施形態に係る害獣忌避用電線保護具の斜視図である。
【図２】図２は、同実施形態に係る害獣忌避用電線保護具の板体の面を法線方向から見た場合の孔及び棒状体の位置関係を示す図である。
【図３】図３は、同実施形態に係る害獣忌避用電線保護具の棒状体間に害獣の鼻先が挿入され棒状体が移動した様子を示す模式図である。
【発明を実施するための形態】
【００１９】
以下、本発明の実施形態について図面を参照して詳細に説明する。
【００２０】
図１は、本発明の実施形態に係る害獣忌避用電線保護具の斜視図である。図１に示すように、害獣忌避用電線保護具１は、面が対向するように配置された２枚の板体１０と、当該２枚の板体１０の間に平行に延伸され両端部が各板体１０に支持された４本の棒状体２０と、を備えている。板体１０及び棒状体２０は、ボリエチレン等の弾性のある素材で形成されている。
【００２１】
板体１０の面の外形は円形に形成されている。なお、板体１０の外形は円形に限定されることはなく、棒状体２０の端部を支持できる形状であればどのような形状であってもよく、例えば、四角形であっても十字型であってもよい。
【００２２】
板体１０の面の中央部には、電線３０を通すための孔１１が厚さ方向に貫通している。孔１１の形状は、当該孔１１に通された電線３０の周囲を板体１０が回動可能とするために、円形に形成されている。電線３０は農耕地や果樹園の周囲に張り巡らされた既設のものを利用することができる。
【００２３】
孔１１の径ｒは、孔１１に電線３０を通すことができ、また、孔１１内で電線３０が回動できるように、電線３０の径よりも大きく形成されている。電線３０は５ｍｍのものが多いため、孔１１の径ｒは５ｍｍ〜１５ｍｍとするのが好ましい。
【００２４】
板体１０には、その周縁から孔１１に連通する溝１２が設けられている。害獣忌避用電線保護具１を電線３０に付する際には、溝１２における板体１０の周縁部から中央部の孔１１の位置まで電線３０を移動させることで、孔１１に電線３０を簡単に通すことができる。孔１１に電線３０を通した後に板体１０が回動することで電線３０が当該溝１２から抜けないように、溝１２の幅ｗは、孔１１の径及び電線３０の径よりも小さく構成されている。
【００２５】
棒状体２０の長さＬは、害獣忌避用電線保護具１を付した電線３０に害獣が接触し易く、かつ、電線３０が棒状体２０の下方に垂下しない長さに調整されている。棒状体２０の長さＬは、１５ｃｍ〜６０ｃｍが好ましい。
【００２６】
図２は、板体１０の面を法線方向から見た場合の孔１１及び棒状体２０の位置関係を示す図である。棒状体２０は板体１０に対して孔１１の外側に配されている。
【００２７】
より詳細には、図２に示すように溝１２が垂直（鉛直）方向となるように害獣忌避用電線保護具１を配した場合、２つの孔１１の中心を結ぶ直線ｃから当該直線ｃに直交する水平方向の左右両側の少なくとも１側に、２本の棒状体２０が設けられている。
【００２８】
棒状体１２の間隔Ｄは、植物が通過せず、害獣の鼻先が挿入されるように調整されている。棒状体１２の間隔Ｄは、３ｍｍ〜１５ｍｍが好ましい。棒状体１２の径Ｒは、材質と弾性との関係で定まるが、３ｍｍ〜１０ｍｍが好ましい。
【００２９】
本実施形態では、左右両側各々に２本の棒状体２０が設けられており、合計４本の棒状体２０が設けられている。但し、これに限定されることはなく、１側のみに棒状体２０を２本設けてもよい。棒状体２０を１側のみに設ける場合には、当該１側を害獣が進入してくる側とすることで、当該害獣が進入してくる側、すなわち農耕地等とは反対側の管理が行き届いていない地面から伸びてくる植物が電線３０に接触するのを防ぐことができる。
【００３０】
当該１側に設けられる２本の棒状体２０は、１本が２つの孔１１の中心を結ぶ直線ｃよりも上方に設けられ、他の１本が直線ｃよりも下方に設けられている。
【００３１】
また、棒状体２０の弾性は、棒状体２０の長さ方向の中央箇所が直線ｃに直交する方向から押されたときに、押す力が１００Ｎ（ニュートン）であれば、図３に示すように、直線ｃの位置、すなわち害獣忌避用電線保護具１を電線３０に付した際の電線３０の位置を超えて移動し、押す力が１０Ｎであれば直線ｃに到達しないように調整されている。害獣が押す力は１００Ｎ以上であり、植物の押す力は１０Ｎ以下であるため、上記のように棒状体２０の弾性を調整することで、害獣が電線３０に付した害獣忌避用電線保護具１の棒状体２０を押したときに電線３０を越えて移動し、植物が棒状体２０に接触しても電線３０に到達しないようにすることができる。
【００３２】
２本の棒状体２０の位置関係及び弾性を上記のように構成することにより、植物が棒状体２０に接触しても棒状体２０は移動せず、かつ、棒状体２０の間を通過しないようにすることができ、また、棒状体２０の間に害獣の鼻先が挿入されると棒状体２０が移動して板体１０の孔１１に通された電線３０に接触するようにすることができる。
【００３３】
また、本実施形態における４本の棒状体２０は、図２に示すように、板体１０を面の法線方向から見るとき、その中心が正方形Ｓの４頂点にある。板体１０の孔１１の中心位置は、当該正方形Ｓの中心位置と略一致し、板体１０の溝１２は正方形Ｓの下辺と略直交する。このような位置関係となるように棒状体２０を４本設けることにより、農耕地側からも害獣が侵入してくる側からも植物が棒状体２０の間を通過しないようにすることができる。
【００３４】
なお、本実施形態では、棒状体２０を４本設けたが、棒状体２０の数は４本に限定されることはなく、溝１２の方向が垂直となるように害獣忌避用電線保護具１を配するとき、２つの孔１１の中心を結ぶ直線ｃから当該直線ｃに直交する水平方向の左右両側の少なくとも１側に２本の棒状体２０が設けられていれば、２本であっても、３本であっても、５本以上であってもよい。害獣忌避用電線保護具１は電線３０を中心に回動するため、棒状体２０の配置に関わらず、棒状体２０の間に挿入された害獣の鼻先が電線３０に接触するようにすることができる。
【実施例１】
【００３５】
害獣忌避用電線保護具１の棒状体１２の径Ｒ＝５．３ｍｍ、棒状体１２の間隔Ｄ＝５．８ｍｍ、孔１１の径ｒ＝６ｍｍ、溝１２の幅ｗ＝３ｍｍ、棒状体２０の長さＬ＝３０ｃｍ、板体１０の径＝１８．６ｍｍ、棒状体２０の数を４本として、板体１０及び棒状体２０をポリエチレンで成形した。当該害獣忌避用電線保護具１を５ｍｍ径の電線３０に付したところ、問題なく作用した。
【００３６】
以上説明したように、溝１２を介して孔１１に既設の電線３０を通すことで、電線３０に害獣忌避用電線保護具１を簡単に付することができる。そして、棒状体２０が害獣の押す力によっては移動するが植物の押す力によっては移動しないように棒状体２０の弾性を設定し、植物は通過しないが害獣の鼻先が挿入可能となるように棒状体２０の間隔Ｄを設定することで、植物は電線３０に接触しないが害獣は電線３０に接触する害獣忌避用電線保護具１を既設の電線３０に簡単に付することができる。
【産業上の利用可能性】
【００３７】
本発明に係る害獣忌避用電線保護具は、農耕地や果樹園に限らず、害獣の侵入を忌避すべき場所で広く利用することができる。
【符号の説明】
【００３８】
１    害獣忌避用電線保護具
１０  板体
１１  孔
１２  溝
２０  棒状体
３０  電線
【図１】
2020141627.tif 000003
【図２】
2020141627.tif 000004
【図３】
2020141627.tif 000005